(57)【特許請求の範囲】
【請求項１】
長手方向に延びた板状を成し、一面に発光素子が実装された長形の基板を取り付けたフレーム部と、
前記フレーム部に取り付けられたカバーであって、前記フレーム部の長手方向に沿って前記基板を覆うように前記フレーム部の前記一面に取り付けられた長手方向に延びたカバー本体と、前記カバー本体の長手方向の両端部を覆っている一対のカバー端部とを有するカバーと
を備え、
前記カバーは、
前記一対のカバー端部のそれぞれにおいて、前記カバー本体から前記フレーム部に向かう方向である取付方向側の端部、かつ、前記カバー本体の長手方向の中央部に向かう長手方向中央側の端部から、前記取付方向側と前記長手方向中央側とのそれぞれに向かって突き出た突起部を備え、
前記フレーム部の長手方向の端部の位置は、
前記カバーが前記フレーム部に取り付けられる過程において、前記一対のカバー端部うち一方のカバー端部から突き出た一方の突起部と他方のカバー端部から突き出た他方の突起部との間に規制される光源ユニット。
【請求項２】
前記フレーム部は、
前記一対のカバー端部うち一方のカバー端部から突き出た一方の突起部と他方のカバー端部から突き出た他方の突起部との間に配置された状態で、前記カバーに取り付けられた請求項１に記載の光源ユニット。
【請求項３】
前記カバー端部は、
前記フレーム部の長手方向の端部の外側に配置された請求項１または請求項２に記載の光源ユニット。
【請求項４】
請求項１から請求項３のいずれか１項に記載の光源ユニットと、
前記光源ユニットが取り付けられる照明器具と、
前記光源ユニットに電力を供給する電源装置と
を備えた照明装置。
【発明の詳細な説明】
【技術分野】
【０００１】
本発明は、光源が実装された光源ユニットと、この光源ユニットが取り付けられた照明装置とに関する。特に、光源ユニットのカバーの取付け性を向上させる技術に関する。
【背景技術】
【０００２】
従来、天井面に取り付けられる本体と、この本体に装着される光源ユニットとを備えた長尺状の照明装置がある（例えば、特許文献１参照）。
【先行技術文献】
【特許文献】
【０００３】
【特許文献１】特許第５６６７２６２号公報
【発明の概要】
【発明が解決しようとする課題】
【０００４】
特許文献１に記載の光源ユニットは、透光性カバーが光源ユニット単体の長手方向における端部からスライドさせて組み立てられるため、光源ユニット単体の長手方向における透光性カバーの取付け位置が定まらないという課題を有する。
【０００５】
本発明は、簡単な構成によって、光源ユニットのカバーの取付け性を向上させることを目的とする。
【課題を解決するための手段】
【０００６】
本発明に係る光源ユニットは、発光素子が実装された長形の基板を取り付けたフレーム部と、前記フレーム部を取り付けたカバーであって、前記基板を覆ったカバー本体と前記カバー本体の長手方向の両端部を覆った一対のカバー端部とを有するカバーとを備え、前記カバーは、前記一対のカバー端部の各々から前記カバー本体の長手方向の中央部に向かって突き出た突起部を備えた。
【発明の効果】
【０００７】
本発明に係る光源ユニットによれば、発光素子が実装された長形の基板を取り付けたフレーム部と、フレーム部を取り付けたカバーであって、基板を覆ったカバー本体とカバー本体の長手方向の両端部を覆った一対のカバー端部とを有するカバーとを備え、カバーは、一対のカバー端部の各々からカバー本体の長手方向の中央部に向かって突き出た突起部を備えたので、光源ユニットにおけるカバーの取付け性を向上させることができる。
【図面の簡単な説明】
【０００８】
【図１】実施の形態１に係る照明装置１０の斜視図。
【図２】実施の形態１に係る照明装置１０の内部を示す図で、図１のＡ−Ａ断面図。
【図３】実施の形態１に係る照明装置１０の分解斜視図。
【図４】実施の形態１に係る光源ユニット１００の斜視図。
【図５】実施の形態１に係る光源ユニット１００の５面図。
【図６】実施の形態１に係る光源ユニット１００の端部を示す部分拡大図。
【図７】実施の形態１に係るフレーム部１１０とＬＥＤモジュール１２０の関係を示す図であり、照射側から見た図。
【図８】実施の形態１に係るフレーム部１１０とＬＥＤモジュール１２０の関係を示す図であり、取付側から見た図。
【図９】実施の形態１に係るフレーム部１１０とＬＥＤモジュール１２０の関係を示す図であり、図７又は図８のＡ−Ａ断面図。
【図１０】実施の形態１に係るフレーム部１１０とＬＥＤモジュール１２０の関係を示す図であり、図７又は図８のＢ−Ｂ断面図。
【図１１】実施の形態１に係る光源ユニット１００の効果を説明する図であり、（ａ）は実施の形態１の構成、（ｂ）は比較のための構成を示した図。
【図１２】実施の形態２に係る照明装置１０ｘの斜視図。
【図１３】実施の形態２に係る照明装置１０ｘの分解斜視図。
【図１４】実施の形態２に係る照明器具２００ｘの構成を説明する部分拡大図。
【図１５】実施の形態２に係る照明装置１０ｘの図で、光源ユニット１００ｘの照明器具２００ｘに対する取り付け過程を示す図であり、（ａ）は全体を示す正面図、（ｂ）は詳細を示す側面図、（ｃ）は詳細を示す正面図。
【図１６】実施の形態２に係る光源ユニット１００ｘの斜視図。
【図１７】実施の形態２に係る光源ユニット１００ｘを示す図であり、（ａ）は５面図、（ｂ）は主要な内部構造を示す断面図。
【図１８】実施の形態２に係る光源ユニット１００ｘの結線図。
【図１９】実施の形態２に係る光源ユニット１００ｘの中央部及び両端部を示す部分拡大図。
【図２０】実施の形態２に係るフレーム部１１０とＬＥＤモジュール１２０１，１２０２の関係を示す図であり、照射側から見た図。
【図２１】実施の形態２に係るフレーム部１１０とＬＥＤモジュール１２０１，１２０２の関係を示す図であり、取付側から見た図。
【図２２】実施の形態２に係るフレーム部１１０とＬＥＤモジュール１２０１，１２０２の関係を示す図であり、図２０又は図２１のＤ−Ｄ断面図。
【図２３】実施の形態２に係るフレーム部１１０とＬＥＤモジュール１２０１，１２０２の関係を示す図であり、図２０又は図２１のＥ−Ｅ断面図。
【図２４】実施の形態２に係る光源ユニット１００ｘの効果を説明する図であり、（ａ）は実施の形態２の構成、（ｂ）は比較のための構成を示した図。
【図２５】実施の形態３に係る光源ユニット１００ｘの構成を説明する部分拡大図であり、（ａ）は斜視図、（ｂ）は断面図。
【図２６】実施の形態４に係るフレーム部１１０ＡとＬＥＤモジュール１２０を示す図であり、照射側から見た図。
【図２７】図２６のＧ−Ｇ断面図。
【図２８】図２６のＦ−Ｆ断面図。
【図２９】実施の形態４に係る光源ユニット１００Ａの効果を説明する図であり、（ａ）は実施の形態４の構成、（ｂ）は比較のための構成を示した図。
【図３０】実施の形態５，６に係る光源ユニット１００の部分拡大斜視図。
【図３１】実施の形態５，６に係るカバー１３０の部分拡大斜視図。
【図３２】実施の形態５，６に係る光源ユニット１００の部分拡大平面図。
【図３３】実施の形態５，６に係る光源ユニット１００の部分拡大断面図。
【図３４】実施の形態５の作用効果を説明する図。
【図３５】実施の形態５の変形例を説明する図。
【図３６】実施の形態７に係る照明装置１０Ｂの斜視図。
【図３７】図３６に示す照明装置１０ＢのＢ−Ｂ断面図。
【図３８】実施の形態７に係る照明装置１０Ｃの斜視図。
【図３９】図３８に示す照明装置１０ＣのＢ−Ｂ断面図。
【図４０】実施の形態７に係る照明装置１０Ｄの斜視図。
【図４１】図４０に示す照明装置１０ＤのＢ−Ｂ断面図。
【図４２】実施の形態７に係る照明装置１０Ｅの斜視図。
【図４３】図２２に示す照明装置１０ＥのＢ−Ｂ断面図。
【図４４】実施の形態７に係る照明装置１０Ｆの斜視図。
【図４５】図２４に示す照明装置１０ＦのＢ−Ｂ断面図。
【発明を実施するための形態】
【０００９】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。なお、以下の説明では、天井面等のように照明器具を取り付ける取付部３００の方向を取付方向あるいは上方とし、光源の照射方向を下方として説明する。
【００１０】
実施の形態１．
＊＊＊構成の説明＊＊＊
以下の図１から図１０を用いて、本実施の形態に係る照明装置１０の構成について説明する。
図１は、本実施の形態に係る照明装置１０の斜視図である。
図２は、本実施の形態に係る照明装置１０の内部を示す図で、図１のＡ−Ａ断面図である。
図３は、本実施の形態に係る照明装置１０の分解斜視図である。
図４は、本実施の形態に係る光源ユニット１００の斜視図である。
図５は、本実施の形態に係る光源ユニット１００の５面図である。
図６は、本実施の形態に係る光源ユニットの端部を示す部分拡大図である。
図７は、本実施の形態に係るフレーム部１１０とＬＥＤモジュール１２０の関係を示す図であり、照射側から見た図である。
図８は、本実施の形態に係るフレーム部１１０とＬＥＤモジュール１２０の関係を示す図であり、取付側から見た図である。
図９は、本実施の形態に係るフレーム部１１０とＬＥＤモジュール１２０の関係を示す図であり、図７又は図８のＡ−Ａ断面図である。
図１０は、本実施の形態に係るフレーム部１１０とＬＥＤモジュール１２０の関係を示す図であり、図７又は図８のＢ−Ｂ断面図である。
【００１１】
＜照明装置１０＞
図１に示すように、本実施の形態に係る照明装置１０は、天井や壁といった取付部３００に取り付けられる照明装置であり、長手方向に延びた長尺状の照明装置である。この照明装置１０は、長手方向に複数連結して用いられる場合がある。
照明装置１０は、光源ユニット１００と、光源ユニット１００が着脱可能に取り付けられる照明器具２００とを有する。光源ユニット１００は、照明具ともいう。
【００１２】
図２及び図３に示すように、光源ユニット１００は、基板取付面部１１１ａの裏面である装置取付面部１１１ｄを凹部２１１の底面部２１１ａに対向させて凹部２１１に直脱自在に取り付けられる。また、光源ユニット１００は、カバー側部１３１を開口縁部２１１ｂａに対向させて凹部２１１に取り付けられる。
このとき、カバー側部１３１と開口縁部２１１ｂａとの間に隙間部１９０が形成される。隙間部１９０は、照明器具２００とカバー１３０との長手方向の境界部分に形成される。
【００１３】
また、光源ユニット１００の長手方向の端部であるユニット端部２６０は、凹部２１１の長手方向の端部である凹部端部２１１１と当接する。照明装置１０において、ユニット端部２６０と凹部端部２１１１とが当接する部分を当接部１９１とする。
当接部１９１ではユニット端部２６０と凹部端部２１１１とが当たっている。また、隙間部１９０では、光源ユニット１００の長尺の側部と照明器具２００の開口縁部２１１ｂａとが当たらずに隙間を有している。すなわち、隙間部１９０は、光源ユニット１００の両側の長尺の側部にスリット状に存在する。
【００１４】
＜光源ユニット１００＞
照明具である光源ユニット１００は、フレーム部１１０、ＬＥＤモジュール１２０、カバー１３０、電源装置１４０、２つの取付具１５０を有する。
フレーム部１１０は、長手方向に延びた板状であり、発光素子１２０ａが実装された基板１２０ｂが取り付けられる基板取付面部１１１ａを有する基台である。フレーム部１１０は、金属材料を用いて形成されている。フレーム部１１０は、プレス成型によって形成されている。なお、フレーム部１１０は、押出成型によって形成されてもよい。
また、フレーム部１１０は、短手方向の端部であるフレーム側部１１０ａを有している。そして、フレーム側部１１０ａは、光源ユニット１００が照明器具２００に取り付けられた状態で、照明器具２００の凹部２１１の底面部２１１ａに向かって立ち上がる立上部１１２を備える。
【００１５】
フレーム部１１０は、長尺状の平板である平面部１１１と、この平面部１１１の短手方向の両端が折り曲げられて形成される立上部１１２とを有し、短手方向に切る断面が略コ字形状である。フレーム部１１０は、モジュールフレーム、プレートとも称される。
基板取付面部１１１ａには、ＬＥＤである発光素子１２０ａが実装され、発光素子１２０ａに点灯電力を供給する配線パターン１２０ｃが敷設された基板１２０ｂを備えるＬＥＤモジュール１２０が取り付けられる。発光素子１２０ａ及び配線パターン１２０ｃは導電部ともいう。
また、フレーム部１１０は、後述するカバー１３０よりも熱収縮率が小さい。
本実施の形態では、１枚の基板１２０ｂからなる１つのＬＥＤモジュール１２０が取り付けられているものとする。また、基板取付面部１１１ａの裏面である装置取付面部１１１ｄには、ＬＥＤモジュール１２０に点灯電力を供給する電源装置１４０と、２つの取付具１５０とが取り付けられる。
【００１６】
図４から図６に示すように、フレーム部１１０には、平面部１１１の長手方向における両端の一部が切り欠かれた切欠き１９５が形成されている。切欠き１９５の詳細については後述する。
【００１７】
光源ユニット１００の基板１２０ｂは、リジットタイプでもフレキシブルタイプでもよい。また、光源ユニット１００の発光素子１２０ａは、ＬＥＤに限らず、ＬＥＤ以外の発光素子、具体的には、有機ＥＬあるいはレーザといった発光素子を用いてもよい。
【００１８】
図４に示すように、電源装置１４０は、平面部１１１の長手方向中央より一方側に寄せて取り付けられている。なお、電源装置１４０は、平面部１１１の長手方向中央に取り付けられていても構わない。
２つの取付具１５０は、平面部１１１の長手方向の両端側にそれぞれ取り付けられている。取付具１５０は、後述する照明器具２００が備えるバネ２３０と係合し、光源ユニット１００を照明器具２００に固定する。
【００１９】
図２に示すように、カバー１３０は、基板１２０ｂを覆う。また、カバー１３０は、長手方向に延びたカバー側部１３１を有する。カバー１３０は、カバー側部１３１がフレーム部１１０の短手方向の端部であるフレーム側部１１０ａを覆ってフレーム部１１０に取り付けられる。
カバー１３０は、フレーム部１１０に取り付けられたＬＥＤモジュール１２０を覆うようにフレーム部１１０に取り付けられる。立上部１１２にはカバー１３０の取付側の端部が取り付けられ、カバー１３０がフレーム部１１０に固定される。
カバー１３０は樹脂材料を用いて形成されており、透光性を有する。また、カバー１３０は、フレーム部１１０よりも熱収縮率が大きい。
【００２０】
図５に示すように、電源装置１４０には、第１電線５００ｃが接続される。第１電線５００ｃは、先端部にコネクタ５０１が接続されたハーネスである。第１電線５００ｃが後述する端子台２４０に接続されたハーネス５００ｄと接続されることにより、電源装置１４０は端子台２４０から電力を受け取ることができる。
また、電源装置１４０には、電力をＬＥＤモジュール１２０に供給するための第２電線５００ｅが接続される。第２電線５００ｅは、電源装置１４０からフレーム部１１０の長手方向端部を介してＬＥＤモジュール１２０まで接続される。
なお、第１電線５００ｃと第２電線５００ｅとは、電線保持部材１６０、第２電線クランプ１７０、第１電線クランプ１８０を用いてフレーム部１１０に保持される。
【００２１】
＜照明器具２００＞
照明器具２００は、器具本体２１０と、器具本体２１０の両端部に取り付けられる端板部２２０とを備える。
器具本体２１０は、コの字状に折り曲げられて形成され、長手方向に延びた凹部２１１を備える。器具本体２１０は、板金が折り曲げられて形成される。
【００２２】
凹部２１１は、長手方向に延びた底面部２１１ａと、底面部２１１ａの短手方向の両端部から立ち上がる側面部２１１ｂとを備える。また、凹部２１１は、側面部２１１ｂの先端部を開口縁部２１１ｂａとする開口部２１１ｃが形成される。
また、器具本体２１０は、開口縁部２１１ｂａから取付側に向かって広がるように形成された傾斜部２１１ｄを備える。
【００２３】
図３に示すように、凹部２１１の底面部２１１ａには、端子台２４０と、２つのバネ２３０が設置される。端子台２４０は、電源端子台である。あるいは、端子台２４０は信号端子台でも構わない。バネ２３０は、上述した光源ユニット１００が備える取付具１５０に対応する位置に配置される。また、図２に示すように、光源ユニット１００が照明器具２００に取り付けられた状態では、光源ユニット１００が備える電源装置１４０の少なくとも一部が開口部２１１ｃから凹部２１１に挿入される。
【００２４】
図示はないが、端子台２４０には外部電源に接続される電源電線５００ａが接続される。また、図示はないが、端子台２４０には照明器具２００を長手方向に連結した場合に隣接する照明器具に電力や信号を送る送り電線５００ｂが接続される。よって、凹部２１１内には、電源電線５００ａや送り電線５００ｂ等が配設される。
また、図３に図示はないが、底面部２１１ａには、電源電線５００ａを通過させる電源線挿入孔２５０、天井のような取付部３００から吊下げられている吊ボルト４００を挿入させるボルト挿入孔２５１等の各種の孔２５０１が形成されている。
【００２５】
＜光源ユニット１００が照明器具２００に取り付けられた状態＞
図２に示すように、光源ユニット１００は、基板取付面部１１１ａの裏面である装置取付面部１１１ｄを凹部２１１の底面部２１１ａに対向させて凹部２１１に取り付けられる。また、光源ユニット１００は、また、カバー側部１３１を開口縁部２１１ｂａに対向させて凹部２１１に取り付けられる。
このとき、カバー側部１３１と開口縁部２１１ｂａとの間に隙間部１９０が形成される。
【００２６】
カバー１３０は、発光素子１２０ａに対向するカバー本体１３２を備える。カバー本体１３２は、短手方向両側のカバー側部１３１の下端部から連続して形成される。
カバー側部１３１は、カバー係合部１３１１とカバー側面部１３１３とを備える。また、カバー側面部１３１３はカバー延出部１３１２を備える。
カバー係合部１３１１は、立上部１１２を覆って立上部１１２と係合する。カバー側面部１３１３は、カバー本体１３２の短手方向の端部から連続して基板取付面部１１１ａに向かって形成される。カバー延出部１３１２は、カバー係合部１３１１とカバー側面部１３１３との間に形成され、凹部２１１の中央部から離れる向きに突出する。
隙間部１９０は、カバー延出部１３１２と開口縁部２１１ｂａとの間に形成される。
【００２７】
カバー係合部１３１１は、カバー側面部１３１３の上部の内側に立上部１１２に沿って形成される。
カバー側面部１３１３は、カバー係合部１３１１の外側部に上端部が接合され、カバー本体１３２の短手方向端部に下端部が接合される。
カバー延出部１３１２は、光源ユニット１００が照明器具２００に取り付けられた状態で、カバー側面部１３１３がカバー係合部１３１１の外側部に接合された部分から開口縁部２１１ｂａに向かって突出する。
【００２８】
隙間部１９０は、数ミリ程度が好ましく、１ｍｍから５ｍｍ程度が好ましい。２ｍｍから４ｍｍが特に好ましい。なお、隙間部１９０は、上記の数値以外でも構わない。
【００２９】
凹部２１１の底面部２１１ａには、電源線挿入孔２５０、ボルト挿入孔２５１等の孔２５０１が形成される。
隙間部１９０から凹部２１１の内部に流入した空気が底面部２１１ａに形成された孔２５０１から流出する。凹部２１１の内部に空気の流路が形成される。
なお、凹部２１１の底面部２１１ａには、電源線挿入孔２５０、ボルト挿入孔２５１等の孔２５０１が形成されているが、電源線挿入孔２５０、ボルト挿入孔２５１以外にも、空気の流路を形成する目的で孔を形成してもよい。
【００３０】
開口縁部２１１ｂａは、凹部２１１の中央部から離れる向きに滑らかに湾曲した湾曲部２１１ｂｂを有する。湾曲部２１１ｂｂは、凹部２１１の側面部２１１ｂが外側に湾曲されて形成されている。
また、カバー延出部１３１２は、湾曲部２１１ｂｂに向かって突き出す曲面を形成する。
このように、隙間部１９０は、短手方向の両側が曲面により構成されているので、空気が流れ易い形状となっている。
【００３１】
＜光源ユニット１００の照明器具２００への取り付け工程＞
次に、照明器具２００に光源ユニット１００を取り付ける取り付け工程について説明する。照明器具２００の天井等の取付部３００への取り付けは、天井からつり下げられている吊ボルト４００に固定する方法、ネジといった固定具により直接天井に固定する方法がある。
【００３２】
照明器具２００を取付部３００に取り付ける際、天井から引き出される電源電線５００ａ、すなわちＦケーブルを、電源線挿入孔２５０を介して照明器具２００の凹部２１１内に引き込み、端子台２４０に接続する。
次に、バネ２３０を光源ユニット１００の取付具１５０と係合させ、光源ユニット１００と照明器具２００との間に作業空間が存在する状態で、端子台２４０のハーネス５００ｄのコネクタ５０２と、電源装置１４０の第１電線５００ｃのコネクタ５０１とを接続する等の作業が行われる。その後、光源ユニット１００を照明器具２００に向かって押し上げ、光源ユニット１００が照明器具２００に取り付けられる。
【００３３】
＜切欠き１９５の説明＞
ＬＥＤモジュール１２０は、基板１２０ｂの実装面（表面）に発光素子１２０ａと配線パターン１２０ｃが配置されてり、非実装面（裏面）が基板取付面部１１１ａと当接した状態でフレーム部１１０の基板取付面部１１１ａに取り付けられる。すなわち、フレーム部１１０は、基板１２０ｂと接した状態で基板１２０ｂを取り付ける。発光素子１２０ａの動作熱は、非実装面（裏面）からフレーム部１１０に伝達される。
【００３４】
図７及び図８に示すように、フレーム部１１０は、外周の縁部であるフレーム縁部１１０５が切り欠かれた切欠き１９５が形成され、基板１２０ｂの周縁部である基板周縁部１２０５の少なくとも一部が切欠き１９５に重なった状態で基板１２０ｂを取り付けている。
フレーム部１１０は、外周の縁部であるフレーム縁部１１０５のうち長手方向端部のフレーム縁部１１０５が切り欠かれた切欠き１９５が形成される。また、基板周縁部１２０５のうち長手方向端部の基板周縁部１２０５が切欠き１９５の縁部に重なった状態で基板１２０ｂが取り付けられている。
【００３５】
フレーム部１１０は、平面部１１１の長手方向における両端の一部が切り欠かれた切欠き１９５が形成されている。図４から図６では、図に向かってフレーム部１１０の右側端部にのみ切欠き１９５が表されているが、左側端部にも切欠き１９５が形成される。ただし、図４から図６では、左側端部の切欠き１９５はハーネスクランプである第２電線クランプ１７０に覆われており、視認できない。切欠き１９５は平面部１１１の短手方向における中央寄りに形成されている。本実施の形態における切欠き１９５は、長手方向の両端側が開放した略コの字型に形成されている。
【００３６】
切欠き１９５は、基板取付面部１１１ａに取り付けられた基板１２０ｂの長手方向における両端よりもさらに長手方向中央側まで切り欠かれて形成されている。すなわち、基板周縁部１２０５の長手方向端部が切欠き１９５にかかっている。切欠き１９５は、基板１２０ｂの長手方向の両端側に実装された発光素子１２０ａといった電子部品、又は、電子部品を電気接続するために基板１２０ｂの長手方向における最も端に敷設された配線パターン１２０ｃよりも長手方向中央側まで切り欠かれて形成されている。
つまり、図９及び図１０に示すように、切欠き１９５は、基板取付面部１１１ａに取り付けられた基板１２０ｂの長手方向における最も端よりの導電部よりも長手方向中央側まで切り欠かれて形成されている。このため、基板１２０ｂは、非実装面のうち長手方向における両端側の一部の領域が基板取付面部１１１ａと当接しない状態でフレーム部１１０に取り付けられる。
【００３７】
図１１は、本実施の形態に係る光源ユニット１００の効果を説明する図であり、（ａ）は本実施の形態の構成、（ｂ）は比較のために用いる比較用構成を示した図である。
フレーム部１１０は、基板周縁部１２０５のうち発光素子１２０ａを含む導電部との距離が基準寸法Ｌｔｈより小さくなる部分が切欠き１９５に重なった状態で基板１２０ｂを取り付けている。より詳しくは、フレーム部１１０は、基板周縁部１２０５のうち発光素子１２０ａを含む導電部との距離と基板の厚さ寸法Ｔとを足した値が基準寸法Ｌｔｈより小さくなる部分が切欠き１９５に重なった状態で基板１２０ｂを取り付けている。基準寸法Ｌｔｈは、基準沿面距離ともいう。なお、基準寸法Ｌｔｈは、基板１２０ｂの厚さ寸法Ｔよりも大きい寸法であるものとする。
【００３８】
図１１の（ａ）に示すように、本実施の形態における発光素子１２０ａとフレーム部１１０との沿面距離Ｌｎは、Ｌｎ＝Ｌｓ＋Ｔ＋Ｌｂである。Ｌｓは、基板周縁部１２０５と発光素子１２０ａ等の導電部との距離である。すなわち、基板１２０ｂの長手方向の端部と端部に一番近い実装面の最端側に実装された発光素子１２０ａ等の導電部との距離（実装面側沿面距離）である。Ｔは、基板１２０ｂの厚さ寸法である。Ｌｂは、基板１２０ｂの長手方向の端部と非実装面に当接するフレーム部１１０との最短距離（非実装面側沿面距離）である。非実装面側沿面距離Ｌｂは、切欠き１９５が形成されたことによって得られる沿面距離である。
よって、図１１の（ａ）の光源ユニット１００によれば、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、発光素子１２０ａを基板１２０ｂの長手方向の端微に近接させて配置することができ、長手方向における端部側の明るさを向上させることができる。また、本実施の形態の光源ユニット１００は、この光源ユニット１００を長手方向に複数連結配置した場合には、連結部を含む長手方向全体の明るさを均一なものとすることができる。
【００３９】
これに対して、図１１の（ｂ）に示すように、比較用構成における発光素子１２０ａとフレーム部１１０との沿面距離Ｌｏは、実装面側沿面距離Ｌｓと基板１２０ｂの厚さ寸法であるＴとを加えた距離である。すなわち、Ｌｏ＝Ｌｓ＋Ｔである。よって、沿面距離Ｌｏが基準寸法Ｌｔｈ以上となるように基板１２０ｂを配置する必要があり、基板１２０ｂの配置が制限されてしまう。
【００４０】
＊＊＊本実施の形態の効果の説明＊＊＊
以上のように、本実施の形態の光源ユニットは、一面に光源が実装される電極部と電極部に接続される配線パターンとを含む導電部が形成された基板を備える。また、基板が一面側と対向する他面を当接させた状態で取付けられる基板取付面部が形成されたフレーム部を備える。また、光源ユニットは、基板の導電部から一面における外周端部までの距離が予め定められた基準寸法Ｌｔｈを下回る第１寸法である場合に、フレーム部の基板配置部は、基板の他面における外周端部を基準として、基準寸法Ｌｔｈと第１寸法との差である第２の寸法で定義される領域に基板の他面が当接しない非当接部を設けている。また、基板には、列状に光源が実装されるように電極部が基板の一面に形成され、基準寸法Ｌｔｈは基板の一面に列状に実装されて隣接する光源同士の距離よりも小さい寸法である。
【００４１】
本実施の形態の光源ユニット１００は、フレーム部１１０に切欠き１９５が形成されたことによって基板１２０ｂの非実装面側に非実装面側沿面距離Ｌｂを備えたので、外部から侵入する雷サージといった外来ノイズに対する電気絶縁耐性を向上させることができる。このため、発光素子１２０ａが外来ノイズによって損傷したり性能が劣化したりするおそれが少なくなる。
【００４２】
また、本実施の形態の光源ユニット１００は、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、発光素子１２０ａを基板１２０ｂの長手方向の端微に近接させて配置することができ、長手方向における端部側の明るさを向上させることができる。また、本実施の形態の光源ユニット１００は、この光源ユニット１００を長手方向に複数連結配置した場合には、連結部を含む長手方向全体の明るさを均一なものとすることができる。
【００４３】
また、本実施の形態の光源ユニット１００は、切欠き１９５によってフレーム部１１０の使用量を減らすことができ、軽量化及び資材コスト低減につながる。
さらに、本実施の形態の光源ユニット１００は、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、絶縁シートといった絶縁部材を具備する必要が無く、軽量化及び資材コスト低減につながる。
【００４４】
＊＊＊他の構成＊＊＊
本実施の形態では、切欠きはフレーム部の長手方向の端部に形成されていたが、長手方向の端部に限らずフレーム部の側部に形成されていてもよい。
また、本実施の形態では、長尺の照明装置について説明したが、長尺の照明装置でなくても本実施の形態を適用することができる。具体的には、円形、略正方形、略正多角形といった基板をフレーム部に取り付ける場合でも、基板の周縁部において導電部からの沿面距離が基準寸法Ｌｔｈを満たすように、フレーム部のフレーム縁部に切欠きを形成してもよい。すなわち、フレーム部は、基板周縁部のうち発光素子といった導電部との距離Ｌｓと基板の厚さ寸法Ｔとを足した値が基準寸法Ｌｔｈより小さくなる部分が、フレーム部の切欠きに重なった状態で基板を取り付けていればよい。
【００４５】
実施の形態２．
本実施の形態では、主に、実施の形態１と異なる点について説明する。
実施の形態１の光源ユニット１００では、１枚の基板１２０ｂからなるＬＥＤモジュール１２０が基板取付面部１１１ａに取り付けられていた。本実施の形態では、長手方向に連結された２つのＬＥＤモジュール１２０１，１２０２を取り付ける光源ユニット１００ｘと、この光源ユニット１００ｘが取り付けられた照明器具２００ｘとを備える照明装置１０ｘについて説明する。
本実施の形態において、実施の形態１と同様の構成については同一の符号を付し、その説明を省略する。また、本実施の形態において添え字ｘが付された符号の構成は、実施の形態１で説明した添え字ｘが付されていない符号の構成に対応するものであり、基本的な構成は同様であるものとする。
【００４６】
＊＊＊構成の説明＊＊＊
以下の図１２から図１８を用いて、本実施の形態に係る照明装置１０ｘの構成について説明する。
図１２は、本実施の形態に係る照明装置１０ｘの斜視図である。
図１３は、本実施の形態に係る照明装置１０ｘの分解斜視図である。
図１４は、本実施の形態に係る照明器具２００ｘの構成を説明する部分拡大図である。
図１５は、本実施の形態に係る照明装置１０ｘの図で、光源ユニット１００ｘの照明器具２００ｘに対する取り付け過程を示す図であり、（ａ）は全体を示す正面図、（ｂ）は詳細を示す側面図、（ｃ）は詳細を示す正面図である。
図１６は、本実施の形態に係る光源ユニット１００ｘの斜視図である。
図１７は、本実施の形態に係る光源ユニット１００ｘを示す図であり、（ａ）は５面図、（ｂ）は主要な内部構造を示す断面図である。
図１８は、本実施の形態に係る光源ユニット１００ｘの結線図である。
【００４７】
＜照明装置１０ｘ＞
本実施の形態に係る照明装置１０ｘは、照明器具２００ｘと光源ユニット１００ｘとを備える。上述したように、光源ユニット１００ｘは、長手方向に連結された２つのＬＥＤモジュール１２０１，１２０２を取り付ける。したがって、照明装置１０ｘは、長手方向の長さが実施の形態１で説明した照明装置１０の約２倍である。照明装置１０ｘの長さの具体例は、概ね８フィートである。
【００４８】
図１３に示すように、底面部２１１ａには、電源電線５００ａを通過させる電源線挿入孔２５０、天井等から吊下げられている吊ボルト４００を挿入させるボルト挿入孔２５１等の各種の孔２５０１が形成されている。
【００４９】
＜光源ユニット１００ｘ及び照明器具２００ｘ＞
照明具である光源ユニット１００ｘは、長手方向に隣接して配置された２つのＬＥＤモジュール１２０をフレーム部１１０に取り付ける。ここで、２つのＬＥＤモジュール１２０をＬＥＤモジュール１２０１，１２０２とする。すなわち、光源ユニット１００ｘは、長手方向に連結された２枚の基板１２０ｂと、各基板１２０ｂに実装された発光素子１２０ａとをフレーム部１１０の基板取付面部１１１ａに備える。
【００５０】
光源ユニット１００ｘは、フレーム部１１０、２つのＬＥＤモジュール１２０（ＬＥＤモジュール１２０１，１２０２）、カバー１３０、２つの電源装置１４０（電源装置１４０１，１４０２）、３つの取付具１５０（取付具１５０１，１５０２，１５０３）を有する。ＬＥＤモジュール１２０１，１２０２の各々の構成は、実施の形態１で説明したＬＥＤモジュール１２０の構成と同様である。電源装置１４０１，１４０２の各々は、実施の形態１で説明した電源装置１４０と同様である。ただし、図１８に示すように、電源装置１４０１はＬＥＤモジュール１２０１に電力を供給し、電源装置１４０２はＬＥＤモジュール１２０２に電力を供給する。
【００５１】
フレーム部１１０は、実施の形態１と同様に、長尺状の平板である平面部１１１と、この平面部１１１の短手方向の両端が折り曲げられて形成される立上部１１２とを有し、短手方向に切る断面が略コ字形状である。フレーム部１１０は、基台、モジュールフレーム、プレートとも称される。
また、実施の形態１と同様に、基板取付面部１１１ａには、基板１２０ｂを備えるＬＥＤモジュール１２０１と、同様に基板１２０ｂとを備えるＬＥＤモジュール１２０２とが取り付けられる。また、基板取付面部１１１ａの裏面である装置取付面部１１１ｄには、ＬＥＤモジュール１２０１に点灯電力を供給する電源装置１４０１とＬＥＤモジュール１２０２に点灯電力を供給する電源装置１４０２とが取り付けられる。装置取付面部１１１ｄには、さらに、３つの取付具１５０１，１５０２，１５０３が取り付けられる。なお、３つの取付具１５０１，１５０２，１５０３の各々は、実施の形態１で説明した取付具１５０と同様である。
【００５２】
図１６に示すように、電源装置１４０１及び電源装置１４０２は、平面部１１１の長手方向の中心と両端側との間の領域に１ずつ配置されるように取り付けられている。
３つの取付具１５０１，１５０２，１５０３は、平面部１１１の長手方向の両端側に２つが、中央側に１つがそれぞれ取り付けられている。３つの取付具１５０１，１５０２，１５０３は、１つが平面部１１１の電源装置１４０１と電源装置１４０２との間に配置されており、２つは平面部１１１の電源装置１４０１より外側と電源装置１４０２より外側とに、それぞれ１つずつ配置されている。
【００５３】
図１３、図１４及び図１５の（ａ）に示すように、照明器具２００ｘは、３つの取付具１５０１，１５０２，１５０３に対応する３つのバネ２３０１，２３０２，２３０３を備える。３つの取付具１５０１，１５０２，１５０３は、３つのバネ２３０１，２３０２，２３０３とそれぞれ係合し、光源ユニット１００ｘを照明器具２００ｘに固定する。
【００５４】
ここで、光源ユニット１００ｘが有する３つの取付具１５０１，１５０２，１５０３が取付けられる平面部１１１の位置は、３つの取付具１５０１，１５０２，１５０３が照明器具２００ｘが有する３つのバネ２３０１，２３０２，２３０３とそれぞれ係合した場合に、光源ユニット１００ｘが照明器具２００ｘの長手方向における略中心に配置されるように調整される。
すなわち、光源ユニット１００ｘが照明器具２００ｘに固定されたときに、光源ユニット１００ｘの長手方向における応力が均衡するように、中央部の取付具１５０２が配置される位置は光源ユニット１００ｘの長手方向におけるいずれかの端部側にオフセットされる。なお、取付具１５０２とともに照明器具２００ｘの中央部の板バネ２３０２が照明器具２００ｘの長手方向におけるいずれかの端部側にオフセットされてもよいし、照明器具２００ｘの中央部の板バネ２３０２のみが照明器具２００ｘの長手方向におけるいずれかの端部側にオフセットされてもよい。
このようにオフセットすることによって、中央部の取付具１５０２、板バネ２３０２の向きに依存した長手方向における応力の不均衡を解消することができるので、照明装置１０ｘは、長手方向のいずれの端部においても光源ユニット１００ｘと照明器具２００ｘとの間に隙間を生じさせることがない。
【００５５】
なお、３つのバネ２３０１，２３０２，２３０３の各々は、実施の形態１で説明したバネ２３０と同様である。
【００５６】
＜光源ユニット１００ｘの照明器具２００ｘへの取り付け工程＞
図１４から図１７を用いて、光源ユニット１００ｘの照明器具２００ｘへの取り付け工程について説明する。図１４は、３つのバネ２３０１，２３０２，２３０３を照射側に引き出した様子を示している。バネ２３０の下端部を取付具１５０のバネ挿入孔１５２に挿入する。実際に光源ユニット１００ｘを取付ける際におけるバネ挿入孔１５２に挿入する順番は、一方の端部のバネ、中央部のバネ、他方の端部のバネの順である。全てのバネ２３０の下端部を取付具１５０のバネ挿入孔１５２に挿入した後に、端子台２４０と電源装置１４０との結線等を行う。必要な結線が完了したら、光源ユニット１００ｘを照明器具２００ｘ側に押し上げて、光源ユニット１００ｘを照明器具２００ｘに取り付ける。
【００５７】
＜光源ユニット１００ｘの結線＞
図１８は、照明装置１０ｘの結線状態を示す図である。
上述したように、光源ユニット１００ｘは、２系統の点灯装置（電源装置＋ＬＥＤモジュール）を有する。２つのＬＥＤモジュール１２０１，１２０２の各々は、光源ユニット１００ｘの端部側から点灯電力が供給される。本実施の形態では、２つのＬＥＤモジュール間は相互に電気接続されていない。
各電源装置の端子１と端子２は器具の配線を経由して供給される商用交流電源を受電する受電端、端子３と端子４はＬＥＤモジュールに点灯電力を給電する給電端、端子５と端子６は照明装置の外部から照明装置を制御する制御信号が入力される制御信号入力端である。
【００５８】
＜開口１９６の説明＞
以下の図１９から図２３を用いて、本実施の形態に係る光源ユニット１００ｘの構成について説明する。
図１９は、本実施の形態に係る光源ユニット１００ｘの中央部及び両端部を示す部分拡大図である。
図２０は、本実施の形態に係るフレーム部１１０とＬＥＤモジュール１２０１，１２０２の関係を示す図であり、照射側から見た図である。
図２１は、本実施の形態に係るフレーム部１１０とＬＥＤモジュール１２０１，１２０２の関係を示す図であり、取付側から見た図である。
図２２は、本実施の形態に係るフレーム部１１０とＬＥＤモジュール１２０１，１２０２の関係を示す図であり、図２０又は図２１のＤ−Ｄ断面図である。
図２３は、本実施の形態に係るフレーム部１１０とＬＥＤモジュール１２０１，１２０２の関係を示す図であり、図２０又は図２１のＥ−Ｅ断面図である。
【００５９】
図１９から図２１に示すように、光源ユニット１００ｘの両端部および中央部の拡大図に、ＬＥＤモジュール１２０１，１２０２の正規配置領域（破線部分）を示している。中央部の配線、粘着テープは図示を省略している。
本実施の形態では、フレーム部１１０は、両端部の切欠き１９５に加え、中央部に開口１９６が形成される。すなわち、フレーム部１１０は、基板１２０ｂが２つ並べられた状態で基板１２０ｂを取り付け、２つ並べられた基板１２０ｂの隣接部分Ｑ１に対向した位置に開口１９６が形成されている。
また、ＬＥＤモジュール１２０１，１２０２の４隅近傍に対向する位置に、貫通孔１９７が形成される。つまり、貫通孔１９７は８か所に形成される。
図２２は、図２１のＤ−Ｄ断面である。図２１では３箇所のＤ−Ｄ断面で切るように示しているが、どの位置においても図２２のように表される。
【００６０】
図２３に示すように、開口１９６は、中央部におけるＬＥＤモジュール１２０１とＬＥＤモジュール１２０２との隣接部分Ｑ１に位置するように形成される。開口１９６には、ＬＥＤモジュール１２０１の中央部側の端部とＬＥＤモジュール１２０２の中央部側の端部とが臨むように、ＬＥＤモジュール１２０１とＬＥＤモジュール１２０２とが配置される。
【００６１】
＊＊＊本実施の形態の効果の説明＊＊＊
図２４は、本実施の形態に係る光源ユニット１００ｘの効果を説明する図であり、（ａ）は本実施の形態の構成、（ｂ）は比較のための構成を示した図である。
図２４の（ａ）に示すように、本実施の形態の光源ユニット１００ｘは、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、発光素子１２０ａを基板１２０ｂの長手方向の端微に近接させて配置することができ、長手方向における端部側の明るさを向上させることができる。図２４の（ａ）に示すように、光源ユニット１００ｘを長手方向に複数連結配置した場合には、連結部である隣接部分Ｑ１を含む長手方向全体の明るさを均一なものとすることができる。
【００６２】
また、本実施の形態の光源ユニット１００ｘは、開口１９６によってフレーム部１１０の使用量を減らすことができ、軽量化及び資材コスト低減につながる。
さらに、本実施の形態の光源ユニット１００ｘは、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、絶縁シートといった絶縁部材を具備する必要が無く、軽量化及び資材コスト低減につながる。
【００６３】
以上のように、本実施の形態に係る光源ユニット１００ｘ及び照明装置１０ｘによれば、長手方向において、ＬＥＤの配置領域を拡大させることができ、灯具の長手端部側からの光の照射量が向上し、照射空間を均一に照射させることができる。２つの基板の接続領域についてもＬＥＤの配置領域を拡大させることができ、灯具の長手端部側からの光の照射量が向上し、照射空間を均一に照射させることができる。
【００６４】
実施の形態３．
本実施の形態では、主に、実施の形態２と異なる点について説明する。
本実施の形態において、実施の形態１，２と同様の構成については同一の符号を付し、その説明を省略する。
【００６５】
＊＊＊構成の説明＊＊＊
図２５は、本実施の形態に係る光源ユニット１００ｘの構成を説明する部分拡大図であり、（ａ）は斜視図、（ｂ）は断面図である。
本実施の形態では、開口１９６が切り起こしにより形成されているフレーム部１１０について説明する。本実施の形態のフレーム部１１０では、開口１９６が切り起こしにより形成されており、開口１９６から取付側に突出した切起こし部１９６１を備える。すなわち、フレーム部１１０は、一部が基板１２０ｂの取付方向に突き出した突き出し部であって開口を形成した突き出し部を備える。切起こし部１９６１は突き出し部の一例である。
【００６６】
実施の形態１，２ではフレーム部１１０に形成される切欠き１９５及び開口１９６により、ＬＥＤモジュール１２０の実装面側の導電部とフレーム部１１０との沿面距離を確保していた。本実施の形態では、フレーム部１１０を取付側に切り起こすことによって形成される開口１９６により沿面距離を確保する。
【００６７】
また、切起こし部１９６１には、ネジ穴１９６２が形成される。
フレーム部１１０の装置取付面部１１１ｄに切起こし部１９６１及びネジ穴１９６２を設け、バネ取付金具、電源装置といった部品を固定するために有効活用することができる。部品の固定に金属製のネジ（不図示）を用いる場合には、先端部とＬＥＤモジュールの導電部（活電部）との絶縁空間距離に配慮し、ネジや切起こしの寸法を選択する。部品の固定は、ネジ以外の固定手段でもよい。具体的には、リベット、クリップでもよい。
【００６８】
＊＊＊本実施の形態の効果の説明＊＊＊
本実施の形態によれば、切り起こされた切起こし部１９６１のネジ穴１９６２を、フレーム部１１０の取付側に配置されるバネ取付金具、電源装置、配線固定具といった部品の取付けに用いることができる。また、フレーム部１１０は、フレーム以外の構造体が取り付けられることによって、剛性が増し、光源ユニット１００ｘの強度が向上する。
【００６９】
実施の形態４．
本実施の形態では、主に、実施の形態１とは異なる点について説明する。
本実施の形態において、実施の形態１から３と同様の構成については同一の符号を付し、その説明を省略する。
本実施の形態では、フレーム部１１０Ａは、短手方向の中央部が基板１２０ｂの側に長手方向に沿って突き出た台部１９８を備える。本実施の形態の光源ユニット１００Ａでは、基板１２０ｂは台部１９８に接した状態でフレーム部１１０Ａに取り付けられる。
光源ユニット１００Ａ及びフレーム部１１０Ａは、実施の形態１で説明した光源ユニット１００及びフレーム部１１０に対応する。実施の形態１と異なる点はフレーム部１１０Ａが台部１９８を備える点である。
【００７０】
図２６から図２８を用いて、本実施の形態に係る光源ユニット１００Ａの構成について説明する。
図２６は、本実施の形態に係るフレーム部１１０ＡとＬＥＤモジュール１２０を示す図であり、照射側から見た図である。
図２７は、図２６のＧ−Ｇ断面図である。
図２８は、図２６のＦ−Ｆ断面図である。
【００７１】
本実施の形態に係るフレーム部１１０Ａは、ＬＥＤモジュール１２０が取り付けられる基板取付面部１１１ａに台部１９８を備える。台部１９８は、基板取付面部１１１ａにおいてＬＥＤモジュール１２０と対向する領域に形成される。図２６から図２８に示すように、台部１９８の上面が基板１２０ｂの非実装面と接している。台部１９８の上面の面積は、基板１２０ｂの面積よりも小さく形成される。
なお、本実施の形態では、図２６に示すように、発光素子１２０ａが２列に実装されたＬＥＤモジュール１２０を用いている。したがって、本実施の形態のＬＥＤモジュール１２０では、長手方向端部の沿面距離の確保に加え、短手方向端部における沿面距離の確保が必要になる。
【００７２】
＊＊＊本実施の形態の効果の説明＊＊＊
図２９は、本実施の形態に係る光源ユニット１００Ａの効果を説明する図であり、（ａ）は本実施の形態の構成、（ｂ）は比較のための構成を示した図である。
図２９の（ａ）に示すように、本実施の形態の光源ユニット１００Ａは、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、発光素子１２０ａを基板１２０ｂの短手方向の端微に近接させて配置することができ、短手方向における端部側の明るさを向上させることができる。
【００７３】
また、本実施の形態の光源ユニット１００Ａは、台部の上面の面積を調整することにより、基板の短手方向の長さを短くすることができるので、軽量化及び資材コスト低減につながる。
さらに、本実施の形態の光源ユニット１００は、非実装面側沿面距離Ｌｂを調整することによって、基準寸法Ｌｔｈ以上の沿面距離Ｌｎを得ること、すなわちＬｔｈ≦Ｌｎ＝Ｌｓ＋Ｔ＋Ｌｂとすることができるので、絶縁シートといった絶縁部材を具備する必要が無く、軽量化及び資材コスト低減につながる。
【００７４】
以上のように、本実施の形態に係る光源ユニット１００及び照明装置１０によれば、短手方向において、ＬＥＤの配置領域を拡大させることができ、灯具の長手端部側からの光の照射量が向上し、照射空間を均一に照射させることができる。
【００７５】
実施の形態５．
本実施の形態では、主に、実施の形態１から４の説明に追加する点について説明する。
本実施の形態において、実施の形態１から４と同様の構成については同一の符号を付し、その説明を省略する。
【００７６】
＊＊＊構成の説明＊＊＊
以下の図３０から図３５を用いて、本実施の形態に係る光源ユニット１００について説明する。
図３０は、本実施の形態に係る光源ユニット１００の部分拡大斜視図である。
図３１は、本実施の形態に係るカバー１３０の部分拡大斜視図である。
図３２は、本実施の形態に係る光源ユニット１００の部分拡大平面図である。
図３３は、本実施の形態に係る光源ユニット１００の部分拡大断面図である。
図３４は、本実施の形態の作用効果を説明する図である。
図３５は、本実施の形態の変形例を説明する図である。
【００７７】
図２，３及び図３０から図３３に示すように、光源ユニット１００は、発光素子１２０ａが実装された長形の基板１２０ｂを覆うカバー１３０を備える。
カバー１３０は、基板１２０ｂの照射側を覆うカバー本体１３２とカバー本体１３２の長手方向の端部を覆うカバー端部１３５とを備える。
また、照明器具２００は、光源ユニット１００を取り付ける長形の凹部２１１を備える。
カバー端部１３５は、凹部２１１に光源ユニット１００が取り付けられた状態で凹部２１１の長手方向の端部である凹部端部２１１１に対向した端部対向部１３５１を備える。端部対向部１３５１は、凹部２１１から離れる方向に傾斜したカバー傾斜部１３５２を有する。凹部２１１は光源ユニット１００を取り付ける光源取付部２０１の一例である。また、凹部端部２１１１は、端部対向部１３５１が向かう先である光源取付部２０１の長手方向の端部の一例である。すなわち、カバー端部１３５は、光源取付部２０１に光源ユニット１００が取り付けられた状態で光源取付部２０１の長手方向の端部である凹部端部２１１１に対向した端部対向部１３５１を備える。端部対向部１３５１は、光源取付部２０１から離れる方向に傾斜したカバー傾斜部１３５２を有する。
【００７８】
カバー端部１３５は、カバー１３０の端部を塞ぐ部分である端面部１３５４と、凹部端部２１１１と対向する端部対向部１３５１とを備える。端面部１３５４と端部対向部１３５１との境界部分近傍には、端部対向部１３５１が長手方向の端部側に向かって徐々に凹部端部２１１１から離れるように形成されたカバー傾斜部１３５２が形成される。つまり、カバー傾斜部１３５２は、端部対向部１３５１が長手方向の端部側に向かって徐々に照射側に傾斜している部分である。カバー傾斜部１３５２は、緩やかな曲面を成しつつ照射側に傾斜している。
【００７９】
＊＊＊本実施の形態の効果の説明＊＊＊
本実施の形態では、実施の形態１の照明装置１０及び光源ユニット１００の端部を用いて説明したが、長手方向の寸法がより長い光源ユニット１００ｘの場合、カバー１３０の伸縮の量が大きくなる。図３４及び図３５では、実施の形態２の照明装置１０ｘ及び照明器具２００ｘを用いて説明する。本実施の形態は、実施の形態１の構成であっても実施の形態２の構成であっても適用可能である。
【００８０】
図３４に示すように、照明装置１０ｘには、照明器具２００ｘと光源ユニット１００ｘとの長手方向のクリアランスＬｃ分だけ、カバー１３０は伸張可能である。
また、図３４の状態から、照明器具２００ｘの端部の照射側の面である凹部端部２１１１とカバー１３０とが重なる寸法Ｌｌ以上、カバー１３０が縮む場合もある。Ｌｌ以上カバー１３０が縮むと、カバー１３０の端部対向部１３５１の角部分が凹部端部２１１１の周縁等に引っ掛かるおそれがある。そして、カバー１３０が再び伸びた場合に、カバー１３０が破損するおそれがある。特に、カバー１３０が寒冷な環境にさらされると縮みの量が大きくなる。
本実施の形態に係るカバー１３０によれば、カバー端部１３５の端部対向部１３５１にカバー傾斜部１３５２が形成されているので、一度大きく縮んだ状態から再び伸びる方向に変形する過程で、カバー端部１３５が照明器具２００に引っ掛かり難くなる。
図３４に示すように、カバー傾斜部１３５２は、凹部端部２１１１に対して角度θだけ照射側に傾斜しているので、カバー１３０の端部対向部１３５１の角部分が凹部端部２１１１の周縁に引っ掛かり難くなる。
【００８１】
＊＊＊他の構成＊＊＊
図３５では、端部に向かって徐々に照射側に傾斜する凹部端部２１１１を示している。
照明器具２００ｘは、凹部２１１に光源ユニット１００ｘが取り付けられた状態で光源ユニット１００の側に傾斜した器具傾斜部２１１１ａを長手方向の端部に備える。器具傾斜部２１１１ａは、カバー傾斜部１３５２に沿って傾斜している。すなわち、照明器具２００ｘの凹部端部２１１１は、カバー傾斜部１３５２に沿って傾斜した器具傾斜部２１１１ａを備える。具体的には、凹部端部２１１１はカバー傾斜部１３５２の傾斜の角度θと略同一の傾斜角で傾斜した器具傾斜部２１１１ａを有する。
図３５の照明装置１０ｘの凹部端部２１１１は、照射側に傾斜する器具傾斜部２１１１ａを有しているので、長手方向の端部におけるカバー１３０と照明器具２００との隙間を目立たなくすることができる。また、塵埃あるいは虫といった不要物の侵入を防ぐことができる。
【００８２】
実施の形態６．
本実施の形態では、主に、実施の形態５の説明に追加する点について説明する。
本実施の形態において、実施の形態１から５と同様の構成については同一の符号を付し、その説明を省略する。
【００８３】
＊＊＊構成の説明＊＊＊
以下に、図３０から図３３を用いて、本実施の形態に係る光源ユニット１００について説明する。
本実施の形態では、フレーム部１１０の長手方向の端部を基準にして、カバー１３０のカバー端部１３５がフレーム部１１０の長手方向の端部の外側に配置されるように取付位置を規制する突起部１３５３が形成されている。突起部１３５３は、位置決め突起ともいう。
【００８４】
図４から図６及び図３０から図３３に示すように、カバー１３０は、基板１２０ｂを覆ったカバー本体１３２とカバー本体１３２の長手方向の両端部を覆った一対のカバー端部１３５とを有する。カバー１３０は、一対のカバー端部１３５の各々からカバー本体１３２の長手方向の中央部に向かって突き出た突起部１３５３を備える。
図６に示すように、フレーム部１１０は、一対のカバー端部１３５うち一方のカバー端部１３５から突き出た一方の突起部１３５３と、他方のカバー端部１３５から突き出た他方の突起部１３５３との間に配置された状態で、カバー１３０に取り付けられる。
【００８５】
図３０及び図３１に示すように、突起部１３５３は、カバー１３０の端部対向部１３５１の一部が取付側に突出すると共に、長手方向中央側に突出することにより形成される。突起部１３５３は、端部対向部１３５１の長手方向中央側の端部の２箇所から取付側及び長手方向中央側に突出する。つまり、カバー１３０は、突起部１３５３として一方のカバー端部１３５に２つの突起部１３５３を有し、他方のカバー端部１３５に２つの突起部１３５３を有し、合計４つの突起部１３５３を有する。なお、突起部１３５３は、端部対向部１３５１の長手方向中央側の端部の３箇所あるいは４箇所に設けてもよい。
【００８６】
図３２に示すように、カバー１３０が縮んだ場合でも突起部１３５３と第２電線クランプ１７０とが干渉しないように、第２電線クランプ１７０には突起部１３５３に対応する位置に凹み１７０１が形成される。
【００８７】
図３２に示すように、Ｐ１ラインは、カバー本体１３２の長手方向の端部を示す。Ｐ２ラインは、フレーム部１１０の長手方向の端部を示す。Ｐ３ラインは、突起部１３５３の長手方向の中央部側の端部を示す。すなわち、Ｐ３ラインは、突起部１３５３のガイド面を示す。
図３２に示すように、突起部１３５３により、カバー端部１３５がフレーム部１１０の長手方向端部の外側に位置するように、フレーム部１１０の長手方向端部がガイドされる。
【００８８】
図３１の状態のカバー１３０に、ＬＥＤモジュール１２０、電源装置１４０、各種クランプといった部品を実装したフレーム部１１０が取り付けられる。そのとき、図３２及び図３３に示すように、フレーム部１１０と突起部１３５３のガイド面（Ｐ３ライン）との間に、適切なクリアランスＬｄを生じさせることができる。
【００８９】
＊＊＊本実施の形態の効果の説明＊＊＊
図３３に示すように、本実施の形態に係る光源ユニット１００では、カバー端部１３５が突起部１３５３を備えているので、フレーム部１１０の長手方向の端部の位置（Ｐ２ライン）が突起部１３５３のガイド面（Ｐ３ライン）よりも内側に規制される。よって、本実施の形態に係る光源ユニット１００によれば、長手方向の一方側に偏ることなくフレーム部１１０をカバー１３０に取り付けることができる。
【００９０】
実施の形態７．
本実施の形態では、主に、実施の形態１から６で説明した照明装置１０，１０ｘの変形例である照明装置１０Ｂ，１０Ｃ，１０Ｄ，１０Ｅ，１０Ｆについて説明する。
本実施の形態において、実施の形態１から６と同様の構成については同一の符号を付し、その説明を省略する。
【００９１】
図３６は、本実施の形態に係る照明装置１０Ｂの斜視図である。また、図３７は、図３６に示す照明装置１０ＢのＢ−Ｂ断面図である。
照明装置１０Ｂは、直付けタイプである。照明装置１０Ｂは、照明器具２００Ｂの形状が照明装置１０の照明器具２００と異なる。また、照明装置１０Ｂは、照明器具２００Ｂが光を反射させる構成を備えていないトラフタイプの照明装置である。
【００９２】
図３８は、本実施の形態に係る照明装置１０Ｃの斜視図である。また、図３９は、図３８に示す照明装置１０ＣのＢ−Ｂ断面図である。
照明装置１０Ｃは、直付けタイプである。照明装置１０Ｃは、照明器具２００Ｃの形状が照明装置１０の照明器具２００と異なる。また、照明装置１０Ｃは、照明器具２００Ｃの傾斜部２１１ｄＣが凹部２１１の開口縁部２１１ｂａから下方に向かって広がるように形成された反射笠タイプの照明装置である。
【００９３】
図４０は、本実施の形態に係る照明装置１０Ｄの斜視図である。また、図４１は、図４０に示す照明装置１０ＤのＢ−Ｂ断面図である。
照明装置１０Ｄは、天井面のような取付部３００に形成された取付孔に埋め込まれて取り付けられる埋込タイプの照明装置である。照明装置１０Ｄは、照明器具２００Ｄの形状が照明装置１０の照明器具２００と異なる。照明装置１０Ｄの短手方向の幅ＬＤは、例えば１５０ｍｍである。
【００９４】
図４２は、本実施の形態に係る照明装置１０Ｅの斜視図である。また、図４３は、図２２に示す照明装置１０ＥのＢ−Ｂ断面図である。
照明装置１０Ｅは、埋込タイプの照明装置である。照明装置１０Ｅは、照明器具２００Ｅの形状が照明装置１０の照明器具２００と異なる。照明装置１０Ｅの短手方向の幅ＬＥは、照明装置１０Ｄの短手方向の幅ＬＤの０．６〜０．７倍である。照明装置１０Ｅの短手方向の幅ＬＥは、例えば、１００ｍｍである。
【００９５】
図４４は、本実施の形態に係る照明装置１０Ｆの斜視図である。また、図４５は、図２４に示す照明装置１０ＦのＢ−Ｂ断面図である。
照明装置１０Ｆは、埋込タイプの照明装置である。照明装置１０Ｆは、照明器具２００Ｆの形状が照明装置１０の照明器具２００と異なる。照明装置１０Ｆは、Ｃチャンネル回避型の照明装置である。照明装置１０Ｆは、埋め込まれる照明器具２００Ｆの高さＨＦが、図４１に示す照明器具２００Ｄの高さＨＤや図４３に示す照明器具２００Ｅの高さＨＥよりも低い。照明装置１０Ｆの短手方向の幅ＬＦは、照明装置１０Ｅの短手方向の幅ＬＥの１．８〜２．２倍である。照明装置１０Ｆの短手方向の幅ＬＦは、例えば、２２０ｍｍである。
【００９６】
なお、実施の形態１から４で説明した構成及び効果は、本実施の形態に係る照明装置１０Ｂ，１０Ｃ，１０Ｄ，１０Ｅ，１０Ｆについて適用することができる。また、光源ユニットの伸縮を想定した実施の形態５，６で説明した構成及び効果は、本実施の形態に係る照明装置１０Ｂ，１０Ｃ，１０Ｆについて適用することができる。
【００９７】
以上、本発明の実施の形態１から７について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。その他、これらの７つの実施の形態を、全体としてあるいは部分的に、可能な限りどのように組み合わせて実施しても構わない。
なお、上記の実施の形態は、本質的に好ましい例示であって、本発明、その適用物や用途の範囲を制限することを意図するものではなく、必要に応じて種々の変更が可能である。
なお、上述した光源ユニット、照明器具、および照明装置は、いずれも長尺形状の例であるが、長尺形状に限らず、正方形、円形、多角形といった形状であっても本願発明が適用できる。
【符号の説明】
【００９８】
１０，１０ｘ，１０Ｂ，１０Ｃ，１０Ｄ，１０Ｅ，１０Ｆ  照明装置、１００，１００Ａ，１００ｘ  光源ユニット、１１０，１１０Ａ  フレーム部、１１０ａ  フレーム側部、１１１  平面部、１１１ａ  基板取付面部、１１１ｄ  装置取付面部、１１２  立上部、１２０，１２０１，１２０２  ＬＥＤモジュール、１２０ａ  発光素子、１２０ｂ  基板、１２０ｃ  配線パターン、１３０  カバー、１３１  カバー側部、１３１１  カバー係合部、１３１２  カバー延出部、１３１３  カバー側面部、１３２  カバー本体、１３５  カバー端部、１３５１  端部対向部、１３５２  カバー傾斜部、１３５３  突起部、１３５４  端面部、１４０，１４０１，１４０２  電源装置、１５０，１５０１，１５０２，１５０３  取付具、１５２  バネ挿入孔、１６０  電線保持部材、１７０  第２電線クランプ、１７０１  凹み、１８０  第１電線クランプ、１９０  隙間部、１９１  当接部、１９５  切欠き、１９６  開口、１９６１  切起こし部、１９６２  ネジ穴、１９７  貫通孔、１９８  台部、２００，２００ｘ，２００Ｂ，２００Ｃ，２００Ｄ，２００Ｅ，２００Ｆ  照明器具、２０１  光源取付部、２１０  器具本体、２１１  凹部、２１１１  凹部端部、２１１１ａ  器具傾斜部、２１１ａ  底面部、２１１ｂ  側面部、２１１ｂａ  開口縁部、２１１ｂｂ  湾曲部、２１１ｃ  開口部、２１１ｄ，２１１ｄＣ  傾斜部、２２０  端板部、２３０，２３０１，２３０２，２３０３  バネ、２４０  端子台、２５０  電源線挿入孔、２５１  ボルト挿入孔、２５０１  孔、２６０  ユニット端部、３００  取付部、４００  吊ボルト、５００  電線、５００ａ  電源電線、５００ｂ  送り電線、５００ｃ  第１電線、５００ｄ  ハーネス、５００ｅ  第２電線、５０１，５０２  コネクタ、１１０５  フレーム縁部、１２０５  基板周縁部。
【図１】
0006682242.tif 000002
【図２】
0006682242.tif 000003
【図３】
0006682242.tif 000004
【図４】
0006682242.tif 000005
【図５】
0006682242.tif 000006
【図６】
0006682242.tif 000007
【図７】
0006682242.tif 000008
【図８】
0006682242.tif 000009
【図９】
0006682242.tif 000010
【図１０】
0006682242.tif 000011
【図１１】
0006682242.tif 000012
【図１２】
0006682242.tif 000013
【図１３】
0006682242.tif 000014
【図１４】
0006682242.tif 000015
【図１５】
0006682242.tif 000016
【図１６】
0006682242.tif 000017
【図１７】
0006682242.tif 000018
【図１８】
0006682242.tif 000019
【図１９】
0006682242.tif 000020
【図２０】
0006682242.tif 000021
【図２１】
0006682242.tif 000022
【図２２】
0006682242.tif 000023
【図２３】
0006682242.tif 000024
【図２４】
0006682242.tif 000025
【図２５】
0006682242.tif 000026
【図２６】
0006682242.tif 000027
【図２７】
0006682242.tif 000028
【図２８】
0006682242.tif 000029
【図２９】
0006682242.tif 000030
【図３０】
0006682242.tif 000031
【図３１】
0006682242.tif 000032
【図３２】
0006682242.tif 000033
【図３３】
0006682242.tif 000034
【図３４】
0006682242.tif 000035
【図３５】
0006682242.tif 000036
【図３６】
0006682242.tif 000037
【図３７】
0006682242.tif 000038
【図３８】
0006682242.tif 000039
【図３９】
0006682242.tif 000040
【図４０】
0006682242.tif 000041
【図４１】
0006682242.tif 000042
【図４２】
0006682242.tif 000043
【図４３】
0006682242.tif 000044
【図４４】
0006682242.tif 000045
【図４５】
0006682242.tif 000046